(57)【要約】  【課題】  コリメータレンズが配置されるベースと対物レンズが配置されるアクトベースとの接着の精度を高め、それだけ、光ディスクへ安定した強度のレーザ光を照射することができ、データの記録又は読出し不良を抑制する  【解決手段】  アクトベース２は矩形状の形状を有しており、四隅に貫通孔２１が形成されている。ベース１にアクトベース２を配置したときに貫通孔２１に対応した位置に貫通孔２１と嵌合する凸部１１を備えている。ベース１の凸部１１にアクトベース２の貫通孔２１を嵌合した状態で貫通孔２１に接着剤Ｂｄを注入してベース１にアクトベース２を固定する。【選択図】      図４
2006139893.tif 000002
【特許請求の範囲】
【請求項１】
回転している円盤状の光ディスクにレーザ光を照射することで、データの記録、読出を
行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、
前記光ヘッドは、レーザ光を照射するためのレーザ光源と、前記レーザ光を反射するミ
ラーと、前記レーザ光を平行光にするコリメータレンズと、前記レーザ光を前記光ディス
クに照射するための対物レンズと、前記光ディスクで反射した光を分光するビームスプリ
ッタと、光を受光する受光素子とを有しており、
前記コリメータレンズはベースに支持され、前記対物レンズはアクトベースに支持され
ており、
前記アクトベースの四隅には前記ベースと係合するための貫通孔が形成されており、前
記ベースには前記アクトベースの貫通孔に対応する位置に異なる直径を有する円柱を連結
した段付きの凸部が形成されており、
前記アクトベースを前記対物レンズと前記光ディスクの傾角が所定の範囲に入るように
調整し、前記貫通孔を前記ベースの凸部と係合させ、前記貫通孔に接着剤を注入すること
で前記アクトベースと前記ベースとを固定することを特徴とする光ディスク装置。
【請求項２】
回転している円盤状の光ディスクにレーザ光を照射することで、データの記録、読出を
行う光ディスク装置であって、
前記光ディスクを回転させるスピンドルモータと、前記光ディスクに対してレーザ光を
照射する光ヘッドと、信号を処理するための信号処理装置と、前記光ヘッドにて検出され
前記信号処理装置にて復号化された信号を外部の映像表示部に接続するための外部接続部
と、制御部とを備えており、
前記光ヘッドは、レーザ光を照射するためのレーザ光源と、前記レーザ光を反射するミ
ラーと、前記レーザ光を平行光にするコリメータレンズと、前記レーザ光を前記光ディス
クに照射するための対物レンズと、前記光ディスクで反射した光を分光するビームスプリ
ッタと、光を受光する受光素子とを有しており、
前記コリメータレンズはベースに支持され、前記対物レンズはアクトベースに支持され
ており、
前記アクトベースの四隅には前記ベースと係合するための貫通孔が形成され、前記ベー
スには前記アクトベースの貫通孔に対応する位置に大径の第１円筒部と、小径の第２円筒
部が連結した段付きの凸部が形成されており、
前記第１円筒部の前記第２円筒部と連結する部分には該第２円筒部の周囲に凹溝が形成
されており、
前記アクトベースを前記対物レンズと前記光ディスクの傾角が所定の範囲に入るように
調整し、前記貫通孔を前記ベースの凸部と係合させ、前記貫通孔に接着剤を注入すること
で前記アクトベースと前記ベースとを固定することを特徴とする光ディスク装置。
【請求項３】
回転している円盤状の光ディスクにレーザ光を照射することで、データの記録、読出を
行う光ディスク装置であって、前記光ディスクに対してレーザ光を照射する光ヘッドを備
えており、
前記光ヘッドは、レーザ光を照射するためのレーザ光源と、前記レーザ光を反射するミ
ラーと、前記レーザ光を平行光にするコリメータレンズと、前記レーザ光を前記光ディス
クに照射するための対物レンズと、前記光ディスクで反射した光を分光するビームスプリ
ッタと、光を受光する受光素子とを有しており、
前記コリメータレンズはベースに支持され、前記対物レンズはアクトベースに支持され
ており、
前記アクトベースには前記ベースと係合するための貫通孔が対称になるように複数個形
成されており、前記ベースには前記アクトベースの貫通孔に対応する位置に段付きの凸部
が形成されており、
前記アクトベースを前記対物レンズと前記光ディスクの傾角が所定の範囲に入るように
調整し、前記貫通孔を前記ベースの凸部と係合させ、前記貫通孔に接着剤を注入すること
で前記アクトベースと前記ベースとを固定することを特徴とする光ディスク装置。
【請求項４】
前記光ヘッドは、レーザ光を照射するためのレーザ光源と、前記レーザ光を反射する
ミラーと、前記レーザ光を平行光にするコリメータレンズと、前記レーザ光を前記光ディ
スクに照射するための対物レンズと、前記光ディスクで反射した光を分光するビームスプ
リッタと、光を受光する受光素子とを有しており、前記コリメータレンズはベースに支持
され、前記対物レンズはアクトベースに支持されており、
前記アクトベースには前記ベースと係合するための貫通孔が対称になるように複数個形
成されており、前記ベースには前記アクトベースの貫通孔に対応する位置に段付きの凸部
が形成されており、
前記アクトベースを前記対物レンズと前記光ディスクの傾角が所定の範囲に入るように
調整し、前記貫通孔を前記ベースの凸部と係合させ、前記貫通孔に接着剤を注入すること
で前記アクトベースと前記凸部を固定することを特徴とする光ヘッド。
【請求項５】
前記アクトベースの貫通孔は該アクトベースの四隅又は略四隅に形成されることを特徴
とする請求項４に記載の光ヘッド。
【請求項６】
前記ベースの凸部は異なる直径の円柱を連結した形状であることを特徴とする請求項４
又は請求項５に記載の光ヘッド。
【請求項７】
前記凸部の連結部は該凸部の直径が大きな一方の円柱の他方の円柱と連結する連結部の
回りに凹溝が形成されていることを特徴とする請求項４から請求項６のいずれかに記載の
光ヘッド。
【発明の詳細な説明】
【技術分野】
【０００１】
本発明は、光ディスクに光を照射することでデータの記録及び（又は）読出しを行うこ
とができる光ディスク装置に関するものであり、特に前記光ディスクに光を照射する光ヘ
ッドに関するものである。
【背景技術】
【０００２】
近年、映像、音声又は情報の記録媒体として光を照射することで記録及び（又は）読出
しすることができる光ディスクを用いるものが多く用いられている。前記光ディスクとし
て、ＣＤ（Compact Disc）、ＤＶＤ（Digital Versatile Disc）等が広く用いられている
。これら光ディスクを記録媒体として該光ディスクにデータの記録及び（又は）読出しを
行う光ディスク装置は、光ディスクの記録面に対しレーザ光を照射し、反射してきた光を
検出する光ヘッドを備えている。
【０００３】
図６に従来の光ディスク装置の一例であるＤＶＤプレーヤの概略配置図を示す。図６に
示すＤＶＤプレーヤＰＭは、ＤＶＤメディアＤｓを回転させるスピンドルモータＳｐと、
ＤＶＤメディアＤｓの表面にレーザ光を照射し反射した光を検出する光ヘッドＢと、光ヘ
ッドＢで検出された信号を復号化するデコーダＤｃと、外部のモニタＭｎに接続するため
の外部接続部Ｏｃと、制御部Ｃｏｎｔとを備えている。
【０００４】
まず制御部ＣｏｎｔはスピンドルモータＳｐを駆動し、ＤＶＤメディアＤｓを回動させ
る。光ヘッドＢよりレーザ光を回動しているＤＶＤメディアＤｓに照射し、その反射光を
光ヘッドＢで検出する。光ヘッドＢで検出された光は電気信号としてデコーダＤｃに送ら
れる。デコーダＤｃで映像用の信号に復調しモニタＭｎに送ることで、モニタＭｎに映像
を表示する。
【０００５】
図２に光ヘッドの配置図を示す。図２に示すようにレーザ光源Ｌｄと、ミラーＭｒと、
コリメータレンズ３と、対物レンズ４と、ビームスプリッタＢｓと、受光素子Ｐｄとを有
している。レーザ光源Ｌｄより照射されたレーザ光はミラーＭｒで反射されてコリメータ
レンズ３に入射する。コリメータレンズ３に入射したレーザ光は平行光として出射され対
物レンズ４に入射する。対物レンズ４に入射したレーザ光はＤＶＤメディアＤｓの記録面
に照射される。
【０００６】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。
【０００７】
図７に従来の光ヘッドの斜視図を、図８に断面図を示す。図７に示すように、光ヘッド
Ｂはコリメータレンズ３を取り付けるためのベース９１と、ベース９１に取り付けられ、
対物レンズ４が配置されるアクチュエータベース９２（以下アクトベースと記す）とを有
している。図７に示すように、アクトベース９２には、それには限定されないが、ここで
は３箇所をねじ９３で止めることで、ベース９１に固定されている。アクトベース９２を
固定するねじ９３のうち、対称性を考えて１本のねじ９３０にはばね９４が取り付けられ
ている。アクトベース９２はばね９４によって常に付勢されている。対物レンズ４はレン
ズ装着部９５に取り付けられた状態で、レンズ装着部９５をアクトベース９２に取り付け
ることで配置される。
【０００８】
図８に示す断面図のようにベース９１には大きな截頭球形状の凹部９１１が形成されて
いる。また、アクトベース９２には切断された球体形状を有する凸部９２１がそれには限
定されないが、ここでは、３個形成されている。この凸部９２１の曲面は凹部９１１の曲
面と接触して配置されている。図８に示すようにねじ９２１を締める／緩めるを行うこと
で、凸部９２１の曲面が凹部９１１の曲面と接触しつつ移動することで、アクトベース９
２はベース９１に対して滑らかに傾きを変える。
【０００９】
ねじ９３１を適度に操作することで、対物レンズ４から照射されるレーザ光の光軸がＤ
ＶＤメディアＤｓに対して垂直に照射されるようにアクトベース９２を傾けた後、ベース
９１とアクトベース９２の側面とに接着剤Ｂｅを塗布しアクトベース９２をベース９１に
固定する。これによって、光ヘッドＢを製造できる。
【００１０】
ベース９１に取り付けられたコリメータレンズ３とアクトベース９２に備えられた対物
レンズ４とは通常上下にレーザ光が照射される位置に配置されるように形成されている。
しかしながら、製造時の変形等によって、コリメータレンズ３と対物レンズ４との相対位
置が許容範囲を超えている場合、ねじ９３（９３０、９３１）の配置位置や、凹部９１１
及び凸部９２１の配置位置は大きくずらすことができないので、許容範囲内に入れること
ができない場合がある。
【００１１】
そこで図９に示すような３次元接着法を採用する場合もある。図９に示す光ヘッドＣは
、ベース８１に貫通孔８１１が形成されている。この貫通孔８１１を貫通する位置決め部
材８６を用いて位置決めする。位置決め部材８６は上部に円筒状の凸部８６１を２個備え
た直方体形状であり凸部８６１の間には磁石８６２が配置されている。アクトベース８２
には、凸部８６１に対応する位置に係合用の孔８２１が形成されている。位置決め部材８
６を貫通孔８１１より貫通させ、位置決め部材８６の凸部８６１をアクトベース８２の係
合用の孔８２１に係合し、位置決め部材８６とアクトベース８２とが互いに移動しないよ
うに接続する。
【００１２】
その後、位置決め部材８６を水平移動させて、アクトベース８２に配置された対物レン
ズ４がベース８１に取り付けられたコリメータレンズ３から出射するレーザ光を適切に受
光することができる位置になるようにアクトベース８２を移動させる。さらに、位置決め
部材８６を移動することで、対物レンズ４より出射するレーザ光の光軸がＤＶＤメディア
に対して直角に照射するように調整する。その後、調整が終了した時点で、ベース８１と
アクトベース８２の側面に接着剤Ｂｅを塗布し、アクトベース８２をベース８１に固定す
る。
【００１３】
特開２００２−４２３７３号公報に記載の発明は、アクチュエータのステータ部と枠体
を固定するのに、固定用突起を固定用通孔に通し接着剤を用いて固定するものを示してい
る。
【特許文献１】特開２００２−４２３７３号公報
【特許文献２】特開平１１−３９６８２号公報
【特許文献３】特開２０００−２８５４７５号公報
【特許文献４】特開２０００−４２３７３号公報
【特許文献５】特開平７−３１１９５１号公報
【発明の開示】
【発明が解決しようとする課題】
【００１４】
しかしながら、前記球面状の凹部９１１及び凸部９２１とねじ９３（９３０、９３１）
、ばね９４を用いた接着では、コリメータレンズ３及び対物レンズ４の配置場所が設計上
の配置場所より、大きくずれている場合に対応できなくなる。ねじ９３（９３０、９３１
）で調整する場合、微調整が難しく調整後もねじ９３（９３０、９３１）を取り外すこと
ができないので、それだけ、構成部材が多くなる。また接着剤Ｂｅを均等に塗布するのは
難しい。
【００１５】
また、図９に示す方法は位置決め部材８６を用いて、アクトベース８２を配置する位置
を決定し、アクトベース８２とベース８１とを接着剤Ｂｅで接着する。このとき、各部の
接着剤Ｂｅを均等に塗布するのが難しく、均一に塗布されていない場合、接着剤Ｂｅが収
縮等を起こすことで、アクトベース８２に偏った応力がかかる。この偏った応力によって
、アクトベース８２は位置決め部材８６にて決められた位置とは異なる位置に移動したり
、変形したりした状態で固定されてしまい、光ヘッドの性能が低下する。
【００１６】
また、特開２００２−４２３７３号公報に記載の発明は、固定用突起を固定用通孔に通
し接着剤を用いて固定するものを示しているが、固定用突起と固定用通孔の隙間から接着
剤が抑制しやすい構造であり、接着剤の凝縮によって不釣合いな応力が発生することが考
えられる。
【００１７】
そこで本発明は、コリメータレンズが配置されるベースと対物レンズが配置されるアク
トベースとの接着の精度を高め、それだけ、光ディスクへ安定した強度のレーザ光を照射
することができ、データの記録又は読出し不良を抑制することができる光ヘッド及びこの
光ヘッドを用いた光ディスク装置を提供することを目的とする。
【課題を解決するための手段】
【００１８】
上記目的を達成するために本発明は、回転している円盤状の光ディスクにレーザ光を照
射することで、データの記録、読出を行う光ディスク装置であって、前記光ディスクに対
してレーザ光を照射する光ヘッドを備えており、前記光ヘッドは、レーザ光を照射するた
めのレーザ光源と、前記レーザ光源より照射されたレーザ光を反射するミラーと、前記ミ
ラーにて反射されたレーザ光を平行光にするコリメータレンズと、前記コリメータレンズ
を支持するベースと、前記レーザ光を前記光ディスクに照射するための対物レンズと、前
記対物レンズを支持するアクトベースと、前記光ディスクで反射した光を受光する受光素
子とを有しており、前記アクトベースには前記ベースと係合するための貫通孔が対称にな
るように複数個形成されており、前記ベースには前記アクトベースの貫通孔に対応する位
置に段付きの凸部が形成されており、前記アクトベースを前記対物レンズと前記光ディス
クの傾角が所定の範囲に入るように調整し、前記貫通孔を前記ベースの凸部と係合させ、
前記貫通孔に接着剤を注入することで前記アクトベースと前記ベースとを固定することを
特徴とする。
【００１９】
この構成によると、前記ベースと前記アクトベースを接続固定するときに、前記アクト
ベースの貫通孔に前記ベースの凸部を係合させて、その貫通孔に接着剤を塗布するので、
接着剤の塗布量を各貫通孔で一定にすることができる。
【００２０】
これによって、前記接着剤が乾燥するときの収縮によって前記アクトベースに不要、不
均一な応力が発生するのを防ぐことができる。不均一な応力を防ぐことで、接着前に決定
した前記ベースと前記アクトベースの位置関係がずれるのを防ぐことができる。また、前
記アクトベースに不均一な応力がかからないので、該アクトベース自体の変形を防ぐこと
ができる。さらには、前記光ディスクに最適にレーザ光を照射することができるので、安
定したデータの記録、読出しを行うことができる。
【００２１】
上記目的を達成するために本発明は、回転している円盤状の光ディスクにレーザ光を照
射することで、データの記録、読出を行う光ディスク装置であって、前記光ディスクを回
転させるスピンドルモータと、前記光ディスクに対してレーザ光を照射する光ヘッドと、
信号を処理するための信号処理装置と、前記光ヘッドにて検出され前記信号処理装置にて
復号化された信号を外部の映像表示部に接続するための外部接続部と、制御部とを備えて
おり、前記光ヘッドは、レーザ光を照射するためのレーザ光源と、前記レーザ光を反射す
るミラーと、前記レーザ光を平行光にするコリメータレンズと、前記レーザ光を前記光デ
ィスクに照射するための対物レンズと、前記光ディスクで反射した光を分光するビームス
プリッタと、光を受光する受光素子とを有しており、前記コリメータレンズはベースに支
持され、前記対物レンズはアクトベースに支持されており、前記アクトベースの四隅には
前記ベースと係合するための貫通孔が形成され、前記ベースには前記アクトベースの貫通
孔に対応する位置に大径の第１円筒部と、小径の第２円筒部が連結した段付きの凸部が形
成されており、前記第１円筒部の前記第２円筒部と連結する部分には該第２円筒部の周囲
に凹溝が形成されており、前記アクトベースを前記対物レンズと前記光ディスクの傾角が
所定の範囲に入るように調整し、前記貫通孔を前記ベースの凸部と係合させ、前記貫通孔
に接着剤を注入することで前記アクトベースと前記ベースとを固定することを特徴とする
。
【００２２】
この構成によると、前記ベースと前記アクトベースを接続固定するときに、前記アクト
ベースの貫通孔に前記ベースの凸部の凹溝に接着剤がとどまるので、前記凸部から前記接
着剤が流出しにくい。
【００２３】
これによって、前記接着剤が乾燥するときの収縮によって前記アクトベースに不要、不
均一な応力が発生するのを防ぐことができる。不均一な応力を防ぐことで、接着前に決定
した前記ベースと前記アクトベースの位置関係がずれるのを防ぐことができる。また、前
記アクトベースに不均一な応力がかからないので、該アクトベース自体の変形を防ぐこと
ができる。さらには、前記光ディスクに最適にレーザ光を照射することができるので、安
定したデータの記録、読出しを行うことができる。
【００２４】
上記目的を達成するために本発明は、回転している円盤状の光ディスクにレーザ光を照
射することで、データの記録、読出を行う光ディスク装置であって、前記光ディスクを回
転させるスピンドルモータと、前記光ディスクに対してレーザ光を照射する光ヘッドと、
信号を処理するための信号処理装置と、前記光ヘッドにて検出され前記信号処理装置にて
復号化された信号を外部の映像表示部に接続するための外部接続部と、制御部とを備えて
おり、前記光ヘッドは、レーザ光を照射するためのレーザ光源と、前記レーザ光源より照
射されたレーザ光を反射するミラーと、前記ミラーにて反射されたレーザ光を平行光にす
るコリメータレンズと、前記コリメータレンズを支持するベースと、前記レーザ光を前記
光ディスクに照射するための対物レンズと、前記対物レンズを支持するアクトベースと、
前記光ディスクで反射した光を受光する受光素子とを有しており、前記アクトベースの四
隅には前記ベースと係合するための貫通孔が形成されており、前記ベースには前記アクト
ベースの貫通孔に対応する位置に異なる直径を有する円柱を連結した段付きの凸部が形成
されており、前記アクトベースを前記対物レンズと前記光ディスクの傾角が所定の範囲に
入るように調整し、前記貫通孔を前記ベースの凸部と係合させ、前記貫通孔に接着剤を注
入することで前記アクトベースと前記ベースとを固定することを特徴とする。
【００２５】
この構成によると、前記貫通孔が前記アクトベースの四隅に形成されており、接着剤の
注入量が一定なので、前記接着剤が乾燥するときの収縮で発生する応力によって、前記ア
クトベースが傾いたり、変形したりしにくい。また、前記ベースに形成される凸部が異な
る直径の円柱を連結した形状であるので、容易に製作することができる。
【００２６】
上記目的を達成するために本発明は、レーザ光を照射するためのレーザ光源と、前記レ
ーザ光源より照射されたレーザ光を反射するミラーと、前記ミラーにて反射されたレーザ
光を平行光にするコリメータレンズと、前記コリメータレンズを支持するベースと、前記
レーザ光を前記光ディスクに照射するための対物レンズと、前記対物レンズを支持するア
クトベースと、前記光ディスクで反射した光を受光する受光素子とを有しており、前記ア
クトベースには前記ベースと係合するための貫通孔が対称になるように複数個形成されて
おり、前記ベースには前記アクトベースの貫通孔に対応する位置に段付きの凸部が形成さ
れており、前記アクトベースを前記対物レンズと前記光ディスクの傾角が所定の範囲に入
るように調整し、前記貫通孔を前記ベースの凸部と係合させ、前記貫通孔に接着剤を注入
することで前記アクトベースと前記凸部を固定することを特徴とする光ヘッド。
【００２７】
この構成によると、前記ベースと前記アクトベースを接続固定するときに、前記アクト
ベースの貫通孔に前記ベースの凸部を係合させて、その貫通孔に接着剤を塗布するので、
接着剤の塗布量を各貫通孔で一定にすることができる。
【００２８】
これによって、前記接着剤が乾燥するときの収縮によって前記アクトベースに不要、不
均一な応力が発生するのを防ぐことができる。不均一な応力を防ぐことで、接着前に決定
した前記ベースと前記アクトベースの位置関係がずれるのを防ぐことができる。また、前
記アクトベースに不均一な応力がかからないので、該アクトベース自体の変形を防ぐこと
ができる。さらには、前記光ディスクに最適にレーザ光を照射することができるので、安
定したデータの記録、読出しを行うことができる。
【００２９】
上記構成に置いて前記アクトベースの貫通孔は該アクトベースの四隅又は略四隅に形成
してもよい。また、前記ベースの凸部は異なる直径の円柱を連結した形状を例示すること
ができるが、それに限定されるものではない。また、凸部は異なる断面形状の柱状部材を
連結した形状のものであっても良い。また、円錐、角錐等の先端の尖った形状のもの、テ
ーパ状の傾斜を有するもの等、アクトベースの貫通孔と係合することができるものを広く
採用することができる。
【００３０】
さらに、前記凸部の連結部に該凸部の直径が大きな一方の円柱の他方の円柱と連結する
連結部の回りに凹溝が形成されているものであってもよい。凹溝は断面円弧状のもの、楕
円状のもの、矩形状のもの等接着剤が流入しやすい形状を広く採用することができる。
【発明の効果】
【００３１】
本発明によると、コリメータレンズが配置されるベースと対物レンズが配置されるアク
トベースとの接着の精度を高め、それだけ、光ディスクへ安定した強度のレーザ光を照射
することができ、データの記録又は読出し不良を抑制することができる光ヘッド及びこの
光ヘッドを用いた光ディスク装置を提供することができる。
【発明を実施するための最良の形態】
【００３２】
以下に本発明の実施形態を図面を参照して説明する。図１に本発明にかかる光ディスク
装置の配置図を示す。図１に示す光ディスク装置は、それには限定されないがここではＤ
ＶＤプレーヤである。図１に示すＤＶＤプレーヤＰＬは従来のＤＶＤプレーヤＰＭと略同
様の構成を有している。すなわち、ＤＶＤメディアＤｓを回転させるスピンドルモータＳ
ｐと、ＤＶＤメディアＤｓに光を照射し情報を読出す光ヘッドＡと、光ヘッドＡで検出さ
れた信号を復号化するデコーダＤｃと、外部の表示装置であるモニタＭｎに接続するため
の外部接続部Ｏｃと、制御部Ｃｏｎｔとを備えている。
【００３３】
ＤＶＤプレーヤＰＬは制御部Ｃｏｎｔによって制御されており、使用者よりＤＶＤを再
生する命令がなされると、まず、スピンドルモータＳｐを駆動しＤＶＤメディアＤｓを回
転させる。光ヘッドＡより回動しているＤＶＤメディアＤｓにレーザ光を照射し、その反
射光を光ヘッドＡで検出する。光ヘッドＡに備えられた後述の受光素子Ｐｄは検出した光
を電気信号に変換するものであり、電気信号はデコーダＤｃに送られ映像用の信号に復調
され、外部接続部Ｏｃを介してモニタＭｎに送られ、モニタＭｎに映像を表示する。
【００３４】
図２に光ヘッドの一例の配置図を示す。即ち、レーザ光源Ｌｄと、ミラーＭｒと、コリ
メータレンズ３と、対物レンズ４と、ビームスプリッタＢｓと、受光素子Ｐｄとを有して
いる。レーザ光源Ｌｄより照射されたレーザ光はミラーＭｒで反射され、コリメータレン
ズ３に入射し、平行光に変化してコリメータレンズ３より出射する。コリメータレンズ３
より出射したレーザ光は対物レンズ４に入射し対物レンズ４よりＤＶＤメディアＤｓに照
射される。
【００３５】
このときレーザ光はＤＶＤメディアＤｓの記録層に焦点をあわせて、且つ、光軸とＤＶ
ＤメディアＤｓの記録層とが垂直になるようにレーザ光を照射する。ビームスプリッタＢ
ｓは入射されたレーザ光の半分を透過し半分を反射するプリズムであり、ＤＶＤメディア
Ｄｓで反射した光を受光素子Ｐｄに導くものである。受光素子Ｐｄは光を電流に変換する
ものであり、光の強さによってデータを読み取るものである。
【００３６】
図３に本発明に係る光ヘッドの斜視図を、図４に図３に示す光ヘッドの分解斜視図を示
す。図３に示すように光ヘッドＡはコリメータレンズ３を支持するためのベース１と、ベ
ース１に取り付けられ、対物レンズ４を支持するためのアクトベース２とを有している。
アクトベース２はそれには限定されないが、矩形状の形状を有しており、四隅に貫通孔２
１が形成されている。ベース１にアクトベース２を配置したときに貫通孔２１に対応した
位置に貫通孔２１と嵌合する凸部１１を備えている。ベース１の凸部１１にアクトベース
２の貫通孔２１を嵌合した状態で貫通孔２１に接着剤Ｂｄを注入してベース１にアクトベ
ース２を固定する。
【００３７】
図４に示すようにベース１にはコリメータレンズ３を装着するためのレンズ設置孔１２
が形成されている。また、レンズ設置孔１２の隣には矩形状の位置決め用孔１３が形成さ
れている。
【００３８】
図１０に図３又は図４に示す光ヘッドに備えられる凸部の一例の拡大断面図を示す。図
１０に示す凸部１１は直径の異なる２個の円柱を組み合わせた形状を有しており、大きな
直径Ｒ１を有する第１凸部１１１の上に中心軸をあわせて小さな直径Ｒ２の第２凸部１１
２が連続して配置された形状を有している。第１凸部１１１はアクトベース２の貫通孔２
１の内径よりわずかに大きな外形の円筒形状である。
【００３９】
アクトベース２には対物レンズ４を装着するためのレンズ装着部５と、コリメータレン
ズ３からのレーザ光が対物レンズ４に入射するための貫通した光通過孔２２が形成されて
いる。また、光通過孔２２の隣には後述する位置決め部材６を係合するための係合部２３
が形成されている。位置決め部材６は直方体形状を有しており、上部にアクトベース２の
係合部２３と係合するための係合凸部６１を２個備えている。係合凸部６１は円柱形状を
有しており、隣り合う係合凸部６１の間には磁石６２が配置されている。位置決め部材６
は係合凸部６１をアクトベース２の係合部２３に係合させるとともに、磁石６２の磁力に
てアクトベース２を保持するものである。
【００４０】
図５（Ａ）〜（Ｄ）に本発明にかかる光ヘッドを製造する工程の断面図を示す。なお、
図５では矢印に示す紙面に沿った方向を移動方向として示しているが、実際は３次元的に
、換言すると、紙面から離れる方向にも移動が可能である。図５（Ａ）に示すように、ベ
ース１を水平に配置し、ベース１の上部にアクトベース２をアクトベース２の貫通孔２１
がベース１の凸部１１と対応するように配置する。その後、ベース１の位置決め用孔１３
より位置決め部材６を貫通させ、位置決め部材６とアクトベース２を連結する。図５（Ａ
）に示すように位置決め部材６を移動させてベース１に取り付けられたコリメータレンズ
３とアクトベース２に設置された対物レンズ４が所定の位置関係になるようにする。
【００４１】
このとき、アクトベース２がベース１に対して平行を保った状態で位置決め部材６を移
動させる。位置決め部材６はベース１に形成された第２凸部１１２がアクトベース２の貫
通孔２１に係合できる範囲内で平面的に移動できるとともに、高さ方向にも移動できる。
位置決め部材６にてアクトベース２をベース１の上部に配置した後、位置決め部材６をさ
らに動作させて、対物レンズ４より照射されるレーザ光がＤＶＤメディアＤｓに対して所
定の角度（ここでは光軸がメディアＤｓに対して直角）に照射されるように、アクトベー
ス２を揺動する。このとき、対物レンズ４の配置場所が変わらないように、換言すると、
対物レンズ４を中心にアクトベース２が揺動するように位置決め部材６を動作させる（図
２参照）。
【００４２】
アクトベース２の位置を決定した後、位置決め部材６の位置を固定し、アクトベース２
の貫通孔２１にベース１の第２凸部１１２が係合しているのを確認し、接着剤Ｂｄを注入
する（図５（Ｃ）参照）。接着剤を注入した後、接着剤Ｂｄが乾燥するまで位置決め部材
６は図５（Ｃ）の位置に固定しておき、接着剤Ｂｄが乾燥した時点で位置決め部材６を取
りはずして完成する（図５（Ｄ）参照）。
【００４３】
アクトベース２に形成される貫通孔２１は全て同じ形状及び大きさを有しており、ベー
ス１に形成される第２凸部１１２は全て同じ形状及び大きさを有している。また、アクト
ベース２はベース１に対して平行に又はわずかに傾けて配置されるので、貫通孔２１に第
２凸部１１２が嵌合しており、各貫通孔２１に注入する接着剤Ｂｄの注入量は同じ又は略
同じ量である。それゆえ、各貫通孔２１に注入された接着剤Ｂｄが乾燥し固化するときの
収縮により発生する応力はアクトベース２に均等に加わるので、移動や変形等の不具合の
発生を防ぐことができる。
【００４４】
図１１に図１０に示す凸部の他の例の拡大断面図を示す。図１１に示す凸部は第１凸部
に凹溝を有している以外は図１０に示す凸部と同様の形状を有しており、実質上同一の部
分には同一の符号が付してある。図１１に示す凸部１１Ｂはベース１Ｂと一体に形成され
る大きな直径Ｒ１を有する第１凸部１１３と第１凸部１１３と一体に形成され、小さな直
径Ｒ２を有する第２凸部１１４とを有している。第１凸部１１３及び第２凸部１１４は同
軸上に連結した形状を有している。
【００４５】
第１凸部１１３の第２凸部１１４と連結している面１１３０には、第２凸部１１４との
連結部を囲むように凹溝１１５が形成されている。凹溝１１５は、アクトベース２の貫通
孔２１の内径よりも大きくなるように形成されれている。
【００４６】
アクトベース２をベース１Ｂ取り付ける場合、アクトベース２の傾きを調整した後、ベ
ース１Ｂの凸部１１Ｂがアクトベース２の貫通孔２１に挿入するように配置される。凸部
１１Ｂが貫通孔２１に挿入された後、貫通孔２１の上部より貫通孔２１に接着剤Ｂｄを注
入する。
【００４７】
貫通孔２１に注入された接着剤Ｂｄは、凸部１１Ｂの第１凸部１１３似形成された凹溝
１１５に流入する。これにより、接着剤Ｂｄが凸部１１Ｂと貫通孔２１とで形成される空
間２１０にとどまり、第１凸部１１３の側面から流れ落ちるのを抑制することができる。
【００４８】
このことにより、アクトベース２に形成された各貫通孔２１での接着剤Ｂｄの付着状態
を略同じにすることができ、接着剤Ｂｄが乾燥し固化するときの収縮により発生する応力
はアクトベース２に均等に加わるので、移動や変形等の不具合の発生を防ぐことができる
。
【００４９】
上記実施例において、アクトベース２は矩形様の形状を有しており、四隅に貫通孔２１
を備えているものが例示されていたが、それに限定されるものではなく、アクトベースの
形状はベースに配置して不具合の発生しないものを広く採用することができる。また、こ
のとき、アクトベースの貫通孔はアクトベースに加わる荷重をバランスよく分散支持する
ことができる位置に複数個備えるものを広く採用することができる。
【００５０】
上記実施例において、ベース１の凸部１１は径の異なる円柱形状の第１凸部１１１と第
２凸部１１２が連結しているものを例に説明しているが、それに限定されるものではない
。たとえば、第１凸部と第２凸部の断面形状が異なっていてもよく、第２凸部は先端が尖
った錐形、テーパ形状等の貫通孔２１に挿入しやすいものを採用することができる。貫通
孔２１に接着剤Ｂｄを注入したときに、安定した接着面積を得ることができるものを広く
採用することができる。
【産業上の利用可能性】
【００５１】
本発明の光ヘッドは、ＤＶＤ、ＣＤ、ＬＤ等の光ディスクにレーザ光を照射して情報を
読み出したり、書込み可能な光ディスクに情報を記録したりする光ディスク装置において
適用することができる。
【図面の簡単な説明】
【００５２】
【図１】本発明にかかる光ディスク装置の配置図である。
【図２】光ヘッドの一例の配置図である。
【図３】本発明に係る光ヘッドの斜視図である。
【図４】図３に示す光ヘッドの分解斜視図である。
【図５】図（Ａ）〜（Ｄ）は本発明にかかる光ヘッドを製造する工程の断面図である。
【図６】従来の光ディスク装置の一例の概略配置図である。
【図７】従来の光ヘッドの斜視図である。
【図８】従来の光ヘッドの断面図である。
【図９】従来の光ヘッドの斜視図である。
【図１０】図３に示す光ヘッドに備えられる凸部の一例の拡大断面図である。
【図１１】図１０に示す凸部の他の例の拡大断面図である。
【符号の説明】
【００５３】
１  ベース
１１  凸部
１１１  第１凸部
１１２  第２凸部
１２  レンズ設置孔
１３  位置決め用孔
１１Ｂ  凸部
１１３  第１凸部
１１４  第２凸部
２  アクトベース
２１  貫通孔
２２  光通過孔
３  コリメータレンズ
４  対物レンズ
５  レンズ装着部
６  位置決め部材
６１  係合凸部
６２  磁石
【図１】
2006139893.tif 000003
【図２】
2006139893.tif 000004
【図３】
2006139893.tif 000005
【図４】
2006139893.tif 000006
【図５】
2006139893.tif 000007
【図６】
2006139893.tif 000008
【図７】
2006139893.tif 000009
【図８】
2006139893.tif 000010
【図９】
2006139893.tif 000011
【図１０】
2006139893.tif 000012
【図１１】
2006139893.tif 000013